(57)【要約】【課題】  飲料に混じった例えば茶葉等の固形物を濾過して、純粋な飲料のみを飲むことができる濾過器付きコップ蓋及びこれに使用する濾過器を提供する。【解決手段】  コップ１１に被せる蓋１０であって、天井板の一部１８に小孔１３を設け、天井板とは別に形成された通液性を有する濾過部材１４を小孔１３に装着した。ここで、濾過部材１４は両側にストッパー部２０、２１を有するコイル状物とするのがよい。これによって、濾過部材１４を介してコップ１１に入った飲料中の異物（例えば、茶葉、薬草）を濾して、濾過した液体を飲むことができる。【選択図】        図１
2005298016.tif 000002
【特許請求の範囲】
【請求項１】
コップに被せる蓋であって、天井板の一部に小孔を設け、該天井板とは別に形成された通液性を有する濾過部材を前記小孔に装着したことを特徴とする濾過器付きコップ蓋。
【請求項２】
請求項１記載の濾過器付きコップ蓋において、前記濾過部材は、弾性部材からなって、前記小孔に取付け取り外し可能に設けられていることを特徴とする濾過器付きコップ蓋。
【請求項３】
請求項１及び２のいずれか１項に記載の濾過器付きコップ蓋において、前記濾過部材は、両側にストッパー部を備えたコイル状物からなっていると共に、前記小孔は該コイル状物のストッパー部を除くコイル本体部が密接嵌入する長孔からなっていることを特徴とする濾過器付きコップ蓋。
【請求項４】
請求項３記載の濾過器付きコップ蓋において、前記コイル状物は耐蝕性を有する金属又は合成樹脂からなっていることを特徴とする濾過器付きコップ蓋。
【請求項５】
請求項３及び４のいずれか１項に記載の濾過器付きコップ蓋において、前記ストッパー部は前記コイル状物の端部を前記コイル本体部の側線に沿って延長又は折り曲げて形成したものであることを特徴とする濾過器付きコップ蓋。
【請求項６】
請求項１〜５のいずれか１項に記載の濾過器付きコップ蓋において、前記小孔は前記天井板の周縁又は周縁近傍に設けられていることを特徴とする濾過器付きコップ蓋。
【請求項７】
請求項２記載の濾過器付きコップ蓋において、前記濾過部材は多数の濾過孔を有する合成樹脂製の素材からなって、少なくとも長手方向両側には、前記小孔を形成する長孔の周囲の前記天井板が嵌入する溝部があることを特徴とする濾過器付きコップ蓋。
【請求項８】
コップの蓋の天井板に形成された長孔に嵌入して使用する濾過器であって、両側にストッパー部が形成されたコイル状物からなることを特徴とする濾過器。
【請求項９】
請求項８記載の濾過器において、前記ストッパー部は、前記コイル状物の両端を折り曲げて形成されていることを特徴とする濾過器。
【請求項１０】
コップの蓋の天井板に形成された長孔に嵌入して使用する濾過器であって、多数の濾過孔を有する合成樹脂製の素材からなって、少なくとも長手方向両側に前記長孔を形成する前記天井板が嵌入する溝部が設けられたことを特徴とする濾過器。
【発明の詳細な説明】
【技術分野】
【０００１】
本発明は、例えば、紙製又はプラスチック製のコップを用いて緑茶や紅茶等を入れる場合あるいは薬草等を煎じる場合に、最適に使用できる濾過器付きコップ蓋及びこれに使用する濾過器に関する。
【背景技術】
【０００２】
紙製又はプラスチック製のコップに対しては、例えば、特許文献１に記載のように、蓋を被せることが知られており、これによって、内部の飲料の冷えるのを防止すると共に、内容物が容易に零れるのを防止している。
また、特許文献２や特許文献３には、コップの蓋に飲み口を設けたものも提案されている。
【０００３】
【特許文献１】特開２００２−２８４２０６号公報（図１〜図３）
【特許文献２】特開２００２−２４０８４１号公報（図４〜図５）
【特許文献３】登録実用新案３０３６４４４号公報（図１〜図３）
【発明の開示】
【発明が解決しようとする課題】
【０００４】
しかしながら、特許文献１記載のコップ蓋、特許文献２記載のコップ用蓋及び特許文献３記載の飲用蓋付きコップにおいては、蓋の一部に開口部が設けられ、この部分から内部の飲料物を飲むことは可能であるが、飲料がお茶や紅茶の場合には、茶葉が飲料に混じる。ここで、パックに入った状態の茶葉をコップに入れれば、茶葉が飲料に混じることはないが、茶葉の量は人によって好みがあり、更に、パックに入った茶葉はその種類も限定されて、お茶好きの人の要望には応じられないという問題がある。また、パックに入ったお茶は、ジャンピングしないなどの問題もあった。
【０００５】
このような問題は、単に紅茶やお茶だけでなく、煎じて飲用するものや、固形状物が混じる飲料に共通に発生する問題であった。
本発明はかかる事情に鑑みてなされたもので、飲料に混じった例えば茶葉等の固形物を濾過して、純粋な飲料のみを飲むことができる濾過器付きコップ蓋及びこれに使用する濾過器を提供することを目的とする。
【課題を解決するための手段】
【０００６】
前記目的に沿う請求項１記載の濾過器付きコップ蓋は、コップに被せる蓋であって、天井板の一部に小孔を設け、該天井板とは別に形成された通液性を有する濾過部材を前記小孔に装着している。なお、濾過部材は弾性を有する部材で構成する場合の他、弾性を有さない部材で構成する場合も含む。ここで、濾過部材に弾性がない場合でも、蓋自体が弾性をもつ材料又は部分的に塑性変形をする材料であれば、小孔の寸法より濾過部材を僅少の範囲で大きめな寸法とすることによって、濾過部材を小孔に嵌め込むことができるからである。
また、請求項２記載の濾過器付きコップ蓋は、請求項１記載の濾過器付きコップ蓋において、前記濾過部材は、弾性部材からなって、前記小孔に取付け取り外し可能に設けられている。弾性部材は小孔内に入る場合に少し縮み、小孔内に入った状態でその一部又は全部が復元するので、一旦濾過部材を小孔に装着すると外れにくい作用がある。
【０００７】
請求項３記載の濾過器付きコップ蓋は、請求項１及び２記載の濾過器付きコップ蓋において、前記濾過部材は、両側にストッパー部を備えたコイル状物からなっていると共に、前記小孔は該コイル状物のストッパー部を除くコイル本体部が密接嵌入する長孔からなっている。コイル本体部は蓋の内部に入り、小孔を通過する液体の濾過面積を拡大するので、詰まりにくい。
請求項４記載の濾過器付きコップ蓋は、請求項３記載の濾過器付きコップ蓋において、前記コイル状物は耐蝕性を有する金属又は合成樹脂からなっている。耐蝕性を有する金属とは例えば、ステンレス鋼をいう。合成樹脂は１００℃の温度に耐えることができて、一定の形を保持し、弾力性を有するものが好ましい。
請求項５記載の濾過器付きコップ蓋は、請求項３及び４記載の濾過器付きコップ蓋において、前記ストッパー部は前記コイル状物の端部を前記コイル本体部の側線に沿って延長又は折り曲げて形成したものである。これによって、コイル本体部の主要部を小孔内に嵌入させることができる。
請求項６記載の濾過器付きコップ蓋は、請求項１〜５記載の濾過器付きコップ蓋において、前記小孔は前記天井板の周縁又は周縁近傍に設けられている。
【０００８】
請求項７記載の濾過器付きコップ蓋は、請求項２記載の濾過器付きコップ蓋において、前記濾過部材は多数の濾過孔を有する合成樹脂製の素材からなって、少なくとも長手方向両側には、前記小孔を形成する長孔の周囲の前記天井板が嵌入する溝部がある。
請求項８記載の濾過器は、コップの蓋の天井板に形成された長孔に嵌入して使用する濾過器であって、両側にストッパー部が形成されたコイル状物からなる。ここでのストッパー部は、コイル状物が長孔内に落ち込まないようにする作用がある。また、これによって、コイル本体部を長孔内に嵌入させた状態で蓋に止めることができる。
請求項９記載の濾過器は、請求項８記載の濾過器において、前記ストッパー部は、前記コイル状物の両端を折り曲げて形成されている。
請求項１０記載の濾過器は、コップの蓋の天井板に形成された長孔に嵌入して使用する濾過器であって、多数の濾過孔を有する合成樹脂製の素材からなって、少なくとも長手方向両側に前記長孔を形成する前記天井板が嵌入する溝部が設けられている。
なお、以上の発明において、ストッパー部の形状は自由であるが、例えば、円形、角形、ハート形、スペード形等がある。
【発明の効果】
【０００９】
請求項１〜７記載の濾過器付きコップ蓋においては、天井板の一部に小孔を設け、ここに通液性を有する濾過部材を装着したので、この濾過部材を介してコップに入った飲料中の異物（例えば、茶葉、薬草）を濾して濾過した液体を飲むことができる。
特に、請求項２記載の濾過器付きコップ蓋においては、濾過部材は弾性部材からなって取り外し可能に小孔に設けられているので、例えば、繰り返し使用して詰まった場合や汚れた場合に交換することができる。蓋は繰り返し使用できる。
【００１０】
そして、請求項３記載の濾過器付きコップ蓋においては、濾過部材が両側にストッパー部を備えたコイル状物からなっているので、蓋に形成されている長孔内に入ってコイル状物自体を保持することができ、更には、ストッパー部によって長孔内に落ち込まないという効果を有する。
請求項４記載の濾過器付きコップ蓋は、コイル状物が耐蝕性を有する金属又は合成樹脂からなっているので、繰り返し使用でき、更に汚れた場合には簡単に洗浄できる。
【００１１】
請求項５記載の濾過器付きコップ蓋は、ストッパー部はコイル状物の端部を折り曲げて形成しているので、製造が簡単で製造コストが下がる。
請求項６記載の濾過器付きコップ蓋は、小孔が天井板の周縁又は周縁近傍に設けられているので、コップを傾けることによって簡単に濾過された飲料を出すことができる。
そして、請求項７記載の濾過器付きコップ蓋において、濾過部材が合成樹脂素材からできているので、成形が容易であり、安価に製造でき、更に使用後の処理も容易である。
【００１２】
また、請求項８、９記載の濾過器は、両側にストッパー部が設けられたコイル状物からなるので、製造が極めて容易であり、しかも掃除も簡単で衛生的である。
特に、請求項９記載の濾過器は、ストッパー部がコイル状物の両端を折り曲げて形成されているので、一般のばね部材から構成できる。
請求項１０記載の濾過器は、素材が合成樹脂からなっているので、製造が容易であり安価に製造できる。そして、長手方向両側には溝部が設けられているので、この部分が長孔を形成する天井板の端部に嵌まり込んで使用中に外れないという利点がある。
【発明を実施するための最良の形態】
【００１３】
続いて、添付した図面を参照しつつ、本発明を具体化した実施の形態につき説明し、本発明の理解に供する。
ここで、図１は本発明の第１の実施の形態に係る濾過器付きコップ蓋の斜視図、図２は同濾過器付きコップ蓋の一部省略断面図、図３（Ａ）は長孔の平面図、（Ｂ）はコイルばねの平面図、図４（Ａ）、（Ｂ）はそれぞれ本発明の第２の実施の形態に係る濾過器の斜視図及びその使用状態を示す説明図、図５（Ａ）、（Ｂ）、（Ｃ）はそれぞれ本発明の第３の実施の形態に係る濾過器の斜視図、その使用状態を示す説明図、小孔の平面図、図６は本発明の第４の実施の形態に係る濾過器の平面図、図７（Ａ）は本発明の第５の実施の形態に係る濾過器の平面図、（Ｂ）は同使用状態の断面図である。
【００１４】
図１、図２に示すように、本発明の第１の実施の形態に係る濾過器付きコップ蓋１０は、薄いプラスチック素材又は金属素材からなって、コップ１１の上端に嵌着する蓋１２と、この蓋１２の天井板の一部に形成された長孔（小孔の一例）１３に嵌入する通液性を有する濾過部材を構成するコイル状物の一例であるコイルばね１４とを有している。以下、これらについて説明する。
【００１５】
この実施の形態においては、コップ１１は紙又はプラスチック製の有底逆円錐台状の容器からなって、頂部が外側に折り曲げられて膨出部（カール部の一例）１５が形成されている。濾過器付きコップ蓋１０には、この円形の膨出部１５が嵌入する環状装着部１６が設けられている。この環状装着部１６は濾過器付きコップ蓋１０の周囲を断面逆Ｕ字状に折り曲げて形成され、外側壁には円周方向に内側に窪む複数の凹み（ロック機構の一例）１７が設けられ、一旦環状装着部１６に嵌入したコップ１１の膨出部１５が容易に抜けないようになっている。そして、膨出部１５の表面と環状装着部１６の内側壁が接して、内部の飲料の漏れるのを防止するシールが形成されている。
【００１６】
環状装着部１６の直内側には、半径方向に一定の幅を有し、天井板の一部を構成する環状突出部１８を備えている。環状突出部１８の幅は、この濾過器付きコップ蓋１０の半径ｒに対して、例えば、０．１５ｒ〜０．３５ｒの範囲で形成されている。そして、環状突出部１８の一方の表面中央には、例えば、０．３〜１ｍｍの直径の円形孔からなる空気抜き孔１９が設けられ、環状突出部１８の他方の表面には、前記した長孔１３が設けられている。即ち、環状突出部１８の突出側表面に空気抜き孔１９と長孔１３が対向して設けられている。なお、環状突出部１８の内側には天井板を構成する円形天井部１６ａが形成されている。
【００１７】
この長孔１３には、図３（Ｂ）に示す両側にストッパー部２０、２１が設けられた弾性部材からなるコイルばね１４が装着されるようになっている。長孔１３の形状はコイルばね１４のコイル本体部２２の形状によって決定される。例えば、図３（Ａ）、（Ｂ）に示すように、コイルばね１４においては、ストッパー部２０、２１を除いたコイル本体部２２の平面形状は長方形であるので、その幅をｄとし長さ（自由長）をｃとすると、長孔１３のコイル本体部２２が嵌入する矩形部分２３の幅ｂ及び長さａは以下の通りとするのが好ましい。
ｂ＝（０．９〜１）×ｄ
ａ＝（０．８〜０．９９）×ｃ
そして、長孔１３の両側部分２４、２５の形状、面積はできるだけ小さくするのが好ましいが、例えば、半円形、矩形等の形状であっても本発明は適用される。
なお、９０°折り曲げてコイルばね１４の軸心と平行となったストッパー部２０、２１はコイル本体部２２の側線（稜線）を延長したようになっているが、例えば、コイル本体部２２の一部を長孔１３から突出させるように、９０°折り曲げたストッパー部２０、２１のコイル本体部２２の直径ｄに対する位置を変更する（例えば、０．５ｄ〜０．９ｄ）こともできる（以下の実施の形態でも同じ）。
【００１８】
コイル本体部２２の寸法は、例えば、ｄ＝４〜１０ｍｍ、ｃ＝８〜２０ｍｍの範囲で選定するのが好ましいが、本発明はこの寸法に限定されるものではなく、これより小さい寸法又は大きい寸法であってもよい。
コイル本体部２２の直径を大きくした場合、あるいはコイル本体部２２のコイルのピッチを粗くした場合には、コップ内にある茶葉等の異物が漏れる恐れがあるので、コイル本体部２２の中に更に小径のコイルを挿入することもできるし、通液性を有する金属繊維等を入れることもできる。
この実施の形態（以下の実施の形態も同様）においては、コイルばね１４は耐蝕性を有する金属の一例であるステンレス鋼によって形成したが、例えば、柔軟性を有する合成樹脂によって構成することもできる。
【００１９】
コイルばね１４を長孔１３に装着する場合には、コイルばね１４を長孔１３の上に載せて押し込むことによって行い、ストッパー部２０、２１が環状突出部１８の上に載ってコイルばね１４が固定される。
この濾過器付きコップ蓋１０の使用にあっては、内部に緑茶、紅茶又は薬草と所定量のお湯が入った所定の大きさのコップ１１の上に濾過器付きコップ蓋１０を、図２に示す状態で被せる。次に、蓋１２の天井板の周縁（又は周縁近傍）に設けられた長孔１３にコイルばね１４を装着し、コップ１１を傾けることによって、濾過された緑茶、紅茶、煎じ薬を出すことができ、そのまま口を付けて飲むこともできる。
コイルばね１４の装着された濾過器付きコップ蓋１０は繰り返し使用できる。
【００２０】
続いて、図４〜図６に示す本発明の第２〜第４の実施の形態に係る濾過器について説明する。
図４（Ａ）に示す本発明の第２の実施の形態に係る濾過器の一例であるコイルばね２８は、コイル本体部３１の形状が実質第１の実施の形態に係るコイルばね１４のコイル本体部２２と同一であるが、ストッパー部３２、３３が直線状となっている。なお、ストッパー部３２、３３の先部が直線状となっていると取扱に注意する必要があるので、ストッパー部３２、３３の先部を折り返すかあるいは小径の半円を形成して折り曲げることもできる（以下の実施の形態においても同じ）。図４（Ｂ）はこのコイルばね２８を環状突出部１８の長孔１３に取付けた状態を示す。
なお、この環状突出部１８のない蓋にも当然のことながら、本発明を適用できる。
【００２１】
図５（Ａ）に示す本発明の第３の実施の形態に係る濾過器の一例であるコイルばね３４は、コイル本体部３５の形状が中膨らみとなって、両側にはストッパー部３６、３７が設けられている。コイル本体部３５の各コイルの直径は両側が小さく、中央側に向けてその直径が大きくなっていると共に、コイル本体部３５の片側の面（稜線）３８が直線状となっている。そして、ストッパー部３６、３７は稜線３８の延長上にある。これによって、コイル本体部３５の両側に開口部が形成されないので、濾過効率が向上することになる。この場合、図５（Ｂ）、（Ｃ）に示すように、濾過器付きコップ蓋の天井板３９に設けられる小孔４０は、コイル本体部３５の形状と相似で僅少の範囲で小さくするのが好ましい（例えば、８０〜９９％の範囲）。これによって、コイル本体部３５を小孔４０に確実に固定でき、しかも濾過も行うことができる。
【００２２】
次に、図６に示す本発明の第４の実施の形態に係る濾過器の一例であるコイルばね４２について説明するが、コイル本体部４３の両側に設けられているストッパー部４４、４５がハート形状となっている。これによって、針金の突出部分を無くすと共に、意匠性が高められる。
コイル本体部４３の形状は、円筒状であっても、図５に示すように中膨らみ状であってもよい。
【００２３】
図７（Ａ）、（Ｂ）には本発明の第５の実施の形態に係る濾過器４８を示すが、ポリエチレン、ＡＢＳ、ポリプロピレン、ポリカーボネイト等の合成樹脂素材からなって、平面視して長円形となって、上下に貫通する複数の濾過孔４９を備えている。そして、長手方向両側には溝部５０、５１が設けられ、天井板５２に形成された長孔１３（図３参照）に嵌め込まれる横幅ｂを有し、長手方向の長さは長孔１３の全長より長くなって、背向かいとなる溝部５０、５１の底部間距離ｃ（例えば、約１０〜３０ｍｍ）が長孔１３の全長と略等しくしている。長孔１３の周囲の天井板５２が嵌入する溝部５０、５１の深さは０．２〜２ｍｍ程度となって、溝部５０、５１を構成する下側突出部５３、５４は上側突出部５５、５６より短くなって、しかも下方に内側傾斜となって容易に長孔１３に押し込めるようになっている。
【００２４】
前記実施の形態において、小孔は長孔からなって、その長径部分が円周に沿って形成されていたが、天井板の半径に沿って配置することもできる（即ち、図１において長孔１３を９０度回転させて配置する）。この場合、濾過されたお茶等の液体は、長孔の半径方向外側部分から流れ、空気が長孔の半径方向内側からコップ内に入り込むので、空気抜き孔１９を省略することもできる。
また、前記実施の形態においては、濾過器（濾過部材）をコイルばね又は濾過孔を備えた合成樹脂素材によって構成したが、本発明はこれに限定されず、コップ蓋の天井板の小孔に取付けられる通液性を有する濾過部材（例えば、多数の微細孔が設けられて樹脂、金属）であれば、他の物であってもよい。
更には、本発明は上記実施の形態に限定されず、本発明の要旨を変更しない範囲での改良や、上記各実施の形態を組み合わせて発明を構成する場合も本発明は適用される。
【図面の簡単な説明】
【００２５】
【図１】本発明の第１の実施の形態に係る濾過器付きコップ蓋の斜視図である。
【図２】同濾過器付きコップ蓋の一部省略断面図である。
【図３】（Ａ）は長孔の平面図、（Ｂ）はコイルばねの平面図である。
【図４】（Ａ）、（Ｂ）はそれぞれ本発明の第２の実施の形態に係る濾過器の斜視図及びその使用状態を示す説明図である。
【図５】（Ａ）、（Ｂ）、（Ｃ）はそれぞれ本発明の第３の実施の形態に係る濾過器の斜視図、その使用状態を示す説明図、及び小孔の平面図である。
【図６】本発明の第４の実施の形態に係る濾過器の平面図である。
【図７】（Ａ）は本発明の第５の実施の形態に係る濾過器の平面図、（Ｂ）は同使用状態の断面図である。
【符号の説明】
【００２６】
１０：濾過器付きコップ蓋、１１：コップ、１２：蓋、１３：長孔、１４：コイルばね、１５：膨出部、１６：環状装着部、１６ａ：円形天井部、１７：凹み、１８：環状突出部、１９：空気抜き孔、２０、２１：ストッパー部、２２：コイル本体部、２３：矩形部分、２４、２５：側部分、２８：コイルばね、３１：コイル本体部、３２、３３：ストッパー部、３４：コイルばね、３５：コイル本体部、３６、３７：ストッパー部、３８：面、３９：天井板、４０：小孔、４２：コイルばね、４３：コイル本体部、４４、４５：ストッパー部、４８：濾過器、４９：濾過孔、５０、５１：溝部、５２：天井板、５３、５４：下側突出部、５５、５６：上側突出部
【図１】
2005298016.tif 000003
【図２】
2005298016.tif 000004
【図３】
2005298016.tif 000005
【図４】
2005298016.tif 000006
【図５】
2005298016.tif 000007
【図６】
2005298016.tif 000008
【図７】
2005298016.tif 000009